(57)【要約】【課題】マットレスを使用する際に、利用者が動くことにより側地に生じるシワを低減することができるマットレスカバー構造を提供する。【解決手段】芯材１５０を側地１２０で覆うように構成したマットレスカバー構造であって、芯材１５０の外周を覆う内カバー１１０を備え、側地１２０を、内カバー１１０を覆うように構成し、内カバー１１０の表面には、摩擦機能を備える摩擦領域１１１が設け、側地１２０の内側面には、内カバー１１０の摩擦領域１１１と接触することで特定の摩擦機能を生じさせる摩擦領域が設けられることを特徴とする。【選択図】図３
2019050932.tif 000002
【特許請求の範囲】
【請求項１】
芯材を側地で覆うように構成したマットレスカバー構造であって、
前記芯材の外周を覆う内カバー部材を備え、
前記側地は、前記内カバー部材を覆うように構成され、
前記内カバー部材の表面には、摩擦機能を備える摩擦領域が設けられ、
前記側地の内側面には、前記内カバー部材の摩擦領域と接触することで特定の摩擦機能を生じさせる摩擦領域が設けられることを特徴とするマットレスカバー構造。
【請求項２】
前記内カバー部材の摩擦領域は、マットレス短手方向に対して低摩擦または高摩擦であり、
前記側地の摩擦領域は、前記内カバー部材の摩擦領域と接触することで低摩擦または高摩擦となることを特徴とする請求項１に記載のマットレスカバー構造。
【請求項３】
前記内カバー部材の摩擦領域は、マットレス長手方向に対して低摩擦または高摩擦であり、
前記側地の摩擦領域は、前記内カバー部材の摩擦領域と接触することで低摩擦または高摩擦となることを特徴とする請求項１に記載のマットレスカバー構造。
【請求項４】
前記内カバー部材の摩擦領域は、
利用者の部位に対応して設けられ、
マットレス短手方向に対しては低摩擦機能または高摩擦機能を備え、
マットレス長手方向に対しては前記利用者の部位に対応して低摩擦機能または高摩擦機能を備え、
前記側地の摩擦領域は、
利用者の部位に対応して設けられ、
前記内カバー部材の摩擦領域と接触することで、
マットレス短手方向に対しては低摩擦または高摩擦となり、
マットレス長手方向に対しては前記利用者の部位に対応して低摩擦または高摩擦となることを特徴とする請求項１に記載のマットレスカバー構造。
【請求項５】
前記内カバー部材の摩擦領域は、前記内カバー部材の上面に設けられ、
前記側地の摩擦領域は、前記側地の上面の内側面に設けられることを特徴とする請求項１から４のうち何れか一項に記載のマットレスカバー構造。
【請求項６】
前記内カバー部材の摩擦領域は、前記内カバー部材の下面に設けられ、
前記内カバー部材の下面の摩擦領域は、可動するベッドの部位に対応して設けられ、
マットレス短手方向に対しては低摩擦機能または高摩擦機能を備え、
マットレス長手方向に対しては前記利用者の部位に対応して低摩擦機能または高摩擦機能を備え、
前記側地の内側面の摩擦領域は、前記側地の下面の内側面に設けられ、
前記側地の下面の内側面の摩擦領域は、可動するベッドの部位に対応して設けられ、
前記内カバー部材の摩擦領域と接触することで、
マットレス短手方向に対しては低摩擦または高摩擦となり、
マットレス長手方向に対しては前記利用者の部位に対応して低摩擦または高摩擦となることを特徴とする請求項５に記載のマットレスカバー構造。
【請求項７】
前記内カバー部材の摩擦領域は、前記内カバー部材の下面に設けられ、
前記内カバー部材の下面の摩擦領域は、可動するベッドの部位に対応して摩擦係数を変えて構成され
前記側地の内側面の摩擦領域は、前記側地の下面の内側面に設けられ、
前記内カバー部材の摩擦領域と接触することで、
前記側地の下面の内側面の摩擦領域は、可動するベッドの部位に対応して摩擦係数が換わることを特徴とする請求項５に記載のマットレスカバー構造。
【発明の詳細な説明】
【技術分野】
【０００１】
本発明は、芯材を被覆する側地を用いるマットレスカバー構造に関する。
【背景技術】
【０００２】
従来、利用者が寝る場合に使用するマットレスは、ベッドのボトムや床等の載置面上に載置して使用される。そのようなマットレスには、利用者の快適性や安全性を向上させる様々な提案がされている。
【０００３】
例えば、図１４に示すように、背上げ可能なベッド装置の場合は、背上げ動作により、使用者１０の背部を持ち上げて起きあがらせる際、マットレス１１は、クッション部１２の、屈曲する部位１３の上面側が圧縮されて長手方向に短縮するため、図中矢印で示すように使用者の背部を下半身方向に押圧する力が生じる。また、このようにクッション部１２の屈曲する部位１３の上面側が圧縮されて短縮するため、この部位において側地１４が弛み、皺１５が生じて寝心地が悪化する。
【０００４】
上述した押圧力によって、使用者１０は圧迫され、また足方向にずらされて、マットレス１１の上面との間に摩擦力が作用するため、身体の部位、特に、背部や踵の部位において、褥瘡発生の要因となるという問題があった。
【０００５】
そこで、このような使用者に加わる力の発生を軽減するために従来から様々な対策が提案されている。
【０００６】
従来技術として、例えば、マットレスの少なくとも上面を覆うように構成したカバーに、滑性を有するシートを設け、背上げ動作において使用者の背部がシートによって低摩擦でずれることにより、使用者に加わる力の軽減を図るようにしたものが提案されている（特許文献１を参照）。
【先行技術文献】
【特許文献】
【０００７】
【特許文献１】特開平９−２６６８２９号公報
【発明の概要】
【発明が解決しようとする課題】
【０００８】
しかしながら、上述した特許文献１の技術によると、滑性を有するシートを設けたカバーは、マットレスと別部材であるため、取り扱いが面倒であると共に、マットレス自体は、クッション部の屈曲する部位の上面側が圧縮されて長手方向に短縮することにより、その部位において側地が弛んで皺が生じる場合がある。これにより、側地の皺による寝心地の悪化を生じてしまうという問題がある。
【０００９】
本発明は、上記従来の問題点に鑑みてなされたものであって、マットレスを使用する際に、利用者が動くことにより側地に生じるシワを低減することができるマットレスカバー構造を提供することを目的とする。
【課題を解決するための手段】
【００１０】
上述した課題を解決するための本発明に係るマットレスカバー構造は、次の通りである。
【００１１】
本発明は、マットレスカバー構造であって、芯材を側地で覆うように構成したマットレスカバー構造において、
前記芯材の外周を覆う内カバー部材を備え、
前記側地を、前記内カバー部材を覆うように構成し、
前記内カバー部材の表面には、摩擦機能を備える摩擦領域を設け、
前記側地の内側面には、前記内カバー部材の摩擦領域と接触することで特定の摩擦機能を生じさせる摩擦領域を設けることを特徴とするものである。
【発明の効果】
【００１２】
本発明のマットレスカバー構造によれば、芯材を側地で覆うように構成したマットレスカバー構造において、前記芯材の外周を覆う内カバー部材を備え、前記側地を、前記内カバー部材を覆うように構成し、前記内カバー部材の表面には、摩擦機能を備える摩擦領域を設け前記側地の内側面には、前記内カバー部材の摩擦領域と接触することで特定の摩擦機能を生じさせる摩擦領域を設けることで、マットレスを使用する際に、側地と内カバー部材との間に生じる摩擦作用を低減して、利用者が動いても側地が内カバーに逆らわずに利用者の動きに追従し易くなるため、側地に生じるシワを低減することができる。
【図面の簡単な説明】
【００１３】
【図１】第１実施形態に係るマットレスカバー構造を採用したマットレスの全体の構成を示す説明図である。
【図２】前記マットレスの構成を示す断面図である。
【図３】前記マットレスの内カバーのマットレス表面側の構成を示す説明図である。
【図４】前記内カバーのマットレス表面側の構成の変形例１を示す説明図である。
【図５】前記内カバーのマットレス表面側の構成の変形例２を示す説明図である。
【図６】前記内カバーのマットレス裏面側の構成を示す説明図である。
【図７】前記内カバーのマットレス裏面側の構成の変形例３を示す説明図である。
【図８】前記マットレスを使用したベッド装置の構成を示す説明図である。
【図９】前記ベッド装置の起伏機構を動作させた状態を示す説明図である。
【図１０】変形例１のマットレスを使用したベッド装置の構成を示す説明図である。
【図１１】変形例１のマットレスを使用したベッド装置の起伏機構を動作させた状態を示す説明図である。
【図１２】第２実施形態に係るマットレスカバー構造を採用したマットレスを使用したベッド装置の起伏機構を動作させた状態を示す説明図である。
【図１３】第３実施形態に係るマットレスカバー構造を採用したマットレスを起伏機構を有しないベッド装置に使用した状態を示す説明図である。
【図１４】従来の背上げ可能なベッド装置の構成の一例を示す説明図である。
【発明を実施するための形態】
【００１４】
（第１実施形態）
以下、本発明のマットレスカバー構造を実施するための形態について図面を参照して詳細に説明する。
図１は本発明を実施する形態の一例であって、第１実施形態に係るマットレスカバー構造を採用したマットレスの全体の構成を示す説明図、図２は前記マットレスの構成を示す断面図である。
【００１５】
第１実施形態に係るマットレス１００は、図１，図２に示すように、芯材１５０を内カバー１１０と側地１２０とで覆ったマットレスカバー構造を用いたマットレスである。
【００１６】
マットレス１００は、平面視で一方向に長く他方向に短い矩形状で、かつ矩形状の断面を有する直方体形状で構成されている。
【００１７】
芯材１５０は、弾力性を有する部材より成り、マットレス１００の内部を構成するクッション材であって、マットレス１００の形状と同様に、平面視で一方向に長く他方向に短い矩形状で、かつ矩形状の断面を有する直方体形状で構成されている。
【００１８】
内カバー１１０は、芯材１５０を収納可能なように、芯材１５０と同様な直方体形状の空間（以下、収納空間と称する。）を形成するように構成されている。
【００１９】
内カバー１１０の表面には、部分的に摩擦機能を有する摩擦領域が設けられている。
なお、内カバー１１０を構成する生地自体が、表面に摩擦機能を有するように構成されたものであってもよい。
【００２０】
芯材１５０は、内カバー１１０の収納空間１１０ａよりも大きめの容量で形成されている。例えば、内カバー１１０に伸縮性をもたせることで、芯材１５０が内カバー１１０内部に収納された状態で、芯材１５０と内カバー１１０とが一体となるように構成されて、内カバー１１０の表面に張りが生じるようになっている。
内カバー１１０内部に収納される芯材１５０の容量に応じて、内カバー１１０の表面の張り状態の調整は可能である。
【００２１】
芯材１５０の容量と内カバー１１０の収納空間１５０ａの大きさとの関係は、芯材１５０の材質や容量によって、マットレス１００に要求される硬さ（クッション性）によって適宜設定、調整されるものである。
【００２２】
側地１２０は、内カバー１１０内に芯材１５０が収容された状態で、内カバー１１０の外周を覆うように構成されている。そして、側地１２０は、内カバー１１０と同様に、側地１２０内に内カバー１１０とともに収納される芯材１５０の容量に応じて、側地１２０の表面の張り状態の調整は可能である。
【００２３】
また、側地１２０の内側面には、内カバー１１０の摩擦領域と接触することで特定の摩擦機能を生じさせる摩擦領域が設けられている。
【００２４】
ここで、第１実施形態のマットレス１００のカバーを構成する内カバー１１０と側地１２０の特徴的な構成について図面を参照して説明する。
図３は第１実施形態に係るマットレスカバー構造を採用したマットレスの内カバーのマットレス表面側の構成を示す説明図、図４は前記内カバーのマットレス表面側の構成の変形例１を示す説明図、図５は前記内カバーのマットレス表面側の構成の変形例２を示す説明図、図６は前記内カバーのマットレス裏面側の構成を示す説明図、図７は前記内カバーのマットレス裏面側の構成の変形例３を示す説明図である。
【００２５】
第１実施形態のマットレス１００の内カバー１１０は、図３に示すように、芯材１５０の上面側に位置する表面１１０Ａにおいて、マットレス１００上でマットレス長手方向（図中でＸ矢印方向）に仰臥位姿勢の利用者Ｐの上半身（背部、腰部、臀部を含む）に対応する部分に、側地１２０の内側面と接触した状態で、周辺の生地と比較して少なくともマットレス長手方向（図中でＸ矢印方向）またはマットレス短手方向（図中でＹ矢印方向）に沿った方向に低摩擦機能を有する摩擦領域１１１が設けられている。
【００２６】
側地１２０の内側面は、少なくとも内カバー１１０の摩擦領域１１１に対向する部分がマットレス長手方向またはマットレス短手方向に沿った方向に低摩擦機能を有するように構成されている。
【００２７】
ここで、高摩擦（高摩擦状態、高摩擦機能）とは、滑りにくい状態や滑りにくい機能を示し、低摩擦（低摩擦状態、低摩擦機能）とは、滑り易い状態や滑り易い機能を示す。
【００２８】
第１実施形態のマットレス１００の内カバー１１０と側地１２０とによる低摩擦機能の例としては、例えば、内カバー１１０の摩擦領域１１１の生地の繊維織り方向の特性が、マットレス短手方向に滑り易いものであり、側地１２０の内側面の生地の内カバー１１０の摩擦領域１１１に対向する部分の繊維織り方向の特性が、内カバー１１０の摩擦領域１１１と同様にマットレス短手方向に滑り易いものである場合に、側地１２０の内側面と接触した状態で、マットレス短手方向に低摩擦機能を有する滑り易い状態となる。
【００２９】
摩擦領域１１１は、利用者Ｐの上半身付近を含み、マットレス幅方向（マットレス短手方向）の全幅に亘り設けられている。
【００３０】
なお、内カバー１１０の特徴的な摩擦領域の構成は、上述した構成に限定されるものではない。例えば、摩擦領域１１１の構成として、側地１２０の内側面と接触した状態で、マットレス長手方向またはマットレス短手方向に対して低摩擦機能をもたせてもよい。
【００３１】
（変形例１）
変形例１として、図４に示すように、内カバー１１０の表面の摩擦領域１１１を第１の摩擦領域として、第１の摩擦領域１１１の長手方向に低摩擦機能をもたせるとともに、第１の摩擦領域１１１に加えて、芯材１５０の上面側に位置する表面１１０Ａにおいて、マットレス１００上でマットレス長手方向に仰臥位姿勢の利用者Ｐの大腿部に対応する部分に、マットレス１００が起伏機構を備えるベッド装置に使用される場合は、内カバー１１０の第２の摩擦領域１１２は、側地１２０の内側面と接触した状態で、マットレス長手方向に低摩擦機能を有するようにしてもよい。
【００３２】
側地１２０の内側面は、内カバー１１０の第２の摩擦領域１１２に対向する部分がマットレス長手方向（図中でＸ矢印方向）に低摩擦機能を有するように構成される。
【００３３】
第２の摩擦領域１１２は、利用者Ｐの大腿部付近を含み、マットレス幅方向（マットレス短手方向）の全幅に亘り設けられている。
【００３４】
（変形例２）
変形例２として、図５に示すように、内カバー１１０の表面のマットレス幅方向側端の一部の平坦部１１０ｂを除く範囲で第１の摩擦領域１１１ａおよび第２の摩擦領域１１２ａを設けるようにしてもよい。
【００３５】
また、マットレス１００の内カバー１１０は、図６に示すように、マットレス１００の下面側に位置する表面１１０Ｂの全域に亘り、特徴的な摩擦機能を有する第３の摩擦領域１１３が形成されている。
【００３６】
具体的には、内カバー１１０のマットレス１００の下面側の表面１１０Ｂが、マットレス長手方向では、側地１２０の内側面と接触した状態で、背ボトム３ａ、膝ボトム３ｃ、足ボトム３ｄに対向する部分には低摩擦機能を有し、腰ボトム３ｂに対向する部分には高摩擦機能を有している。
なお、内カバー１１０のマットレス１００の下面側の表面１１０Ｂは、側地１２０の内側面と接触した状態で、短手方向に高摩擦機能を有するように構成してもよい。
【００３７】
側地１２０の内側面は、内カバー１１０の下面側の表面１１０Ｂと対向する部分で、背ボトム３ａ、膝ボトム３ｃ、足ボトム３ｄに対向する部分にはマットレス長手方向に低摩擦機能を有し、腰ボトム３ｂに対向する部分にはマットレス長手方向に高摩擦機能を有するように構成される。
【００３８】
背上げ機構、膝上げ機構を有するベッド装置１Ａの場合は、腰臀部の腰ボトム３ｂは動作しない。背ボトム３ａ、膝ボトム３ｃ、足ボトム３ｄは、動作することでボトムとマットレス１００の接触位置（長手方向）が変化する。
【００３９】
動作する背ボトム３ａ、膝ボトム３ｃ、足ボトム３ｄに対向する位置のマットレス１００の下面側の表面１１０Ｂを、マットレス長手方向に対して低摩擦にすることで、側地１２０と内カバー１１０との摩擦を軽減し、マットレス１００をスムーズに動作させることができる。また、マットレス１００の下面側の表面１１０Ｂを、側地１２０の内側面と接触した状態で、短手方向に高摩擦機能を有するように構成することで、側地１２０内でマットレス１００がずれにくくすることができる。
【００４０】
なお、内カバー１１０のマットレス１００の下面側の表面１１０Ｂは、利用者の部位に対応する背ボトム３ａ、腰ボトム３ｂ、膝ボトム３ｃ、足ボトム３ｄに応じて摩擦係数を変えて構成するようにしてもよい。
【００４１】
（変形例３）
なお、内カバー１１０の第３の摩擦領域１１３の構成は、上述した構成に限定されるものではなく、例えば、変形例３として、図７に示すように、内カバー１１０のマットレス１００の下面側に位置する表面１１０Ｂにおいて、マットレス長手方向に仰臥位姿勢の利用者Ｐの腰部および臀部の位置に対応する位置に、側地１２０の内側面と接触した状態で、周辺の生地と比較して高摩擦機能を有する第４の摩擦領域１１４を設けるようにしてもよい。
【００４２】
（ベッド装置）
次に、第１実施形態に係るマットレスカバー構造を採用したマットレス１００を使用するベッド装置について、図面を参照して説明する。
図８は第１実施形態に係るマットレスカバー構造を採用したマットレスを使用したベッド装置の構成を示す説明図、図９は前記ベッド装置の起伏機構を動作させた状態を示す説明図、図１０は変形例１のマットレスを使用したベッド装置の構成を示す説明図、図１１は変形例１のマットレスを使用したベッド装置の起伏機構を動作させた状態を示す説明図である。
【００４３】
第１実施形態に係るマットレスカバー構造を採用したマットレス１００を使用するベッド装置１Ａは、図８に示すように、マットレス１００が載置される分割されたボトム（床部）３と、その分割されたボトム３の一部を起伏させる起伏機構と、起伏機構を備える上部フレーム２と、上部フレーム２を昇降させる昇降機構１とを備えて構成されている。
【００４４】
ベッド装置１Ａは、上部フレーム２のヘッド側およびフット側の下部にそれぞれ昇降機構１Ｈ，１Ｆを配置して、上部フレーム２を昇降するように構成されている。
【００４５】
上部フレーム２の上には分割されたボトム（床部）３が配置される。
ボトム３は、背ボトム（背部）３ａ、腰ボトム３ｂ、膝ボトム（膝部）３ｃ、足ボトム３ｄに分割されて構成されている。そして、その分割されたボトム３の上にマットレス１００が配置される。上部フレーム２のヘッド側とフット側には、それぞれヘッドボード５，フットボード６が設けられている。
【００４６】
ヘッド側の昇降機構１Ｈとフット側の昇降機構１Ｆは、それぞれ昇降動作を独立または協調して制御可能に構成されている。
【００４７】
上部フレーム２には、利用者Ｐの上体（背中）を起伏するための起伏機構として、いわゆる背上げ機構（図示省略）と、利用者Ｐの膝部を起伏するための起伏機構として、いわゆる膝上げ機構（図示省略）が構成されている。
【００４８】
マットレス１００の内カバー１１０には、図８に示すように、芯材１５０の上面側の表面１１０Ａに、仰臥位姿勢の利用者Ｐの上半身に対向する付近には第１の摩擦領域１１１が設けられている。
【００４９】
また、内カバー１１０のマットレス１００の下面側の表面１１０Ｂには、上述したように、第３の摩擦領域１１３が設けられている。第３の摩擦領域１１３は、背ボトム（背部）３ａ、腰ボトム３ｂ、膝ボトム（膝部）３ｃ、足ボトム３ｄのそれぞれと対向するように構成されている。
【００５０】
次に、ベッド装置１Ａにおいて、マットレス１００上の利用者Ｐの背上げ動作および膝上げ動作により姿勢を変化させた場合について説明する。
【００５１】
まず、ベッド装置１Ａにおいて、利用者Ｐの背上げ動作を行なう場合は、図９に示すように、図示しない背上げ機構により背ボトム３ａを起こすことで、利用者Ｐの上半身がマットレス１００とともに起こされる。
【００５２】
このとき、マットレス１００の内カバー１１０の第１の摩擦領域１１１がマットレス長手方向に低摩擦機能を有するように構成されているので、利用者Ｐの背中が側地１２０を介して内カバー１１０に対して容易に摺動することができる。これにより、利用者Ｐは無理なく背上げ動作を行うことができる。
【００５３】
具体的には、ベッド装置１Ａにおいて、利用者Ｐの背上げ動作を行なう場合は、背ボトム３ａが起こされると身体が押されてフット側へずれて、ずり落ちたような背上げ姿勢となる。そこで、内カバー１１０の第１の摩擦領域１１１をマットレス長手方向に低摩擦機能を有するように構成することで、背ボトム３ａが起こされると利用者Ｐの背中が側地１２０と内カバー１１０に対して容易に摺動することで押し上げられるため、身体が足側へずれることを抑制して背上げ動作を行うことができる。
【００５４】
そして、利用者Ｐの背上げ動作を行なう際には、利用者Ｐの膝上げ動作を行われる。
膝上げ動作は、図９に示すように、図示しない膝上げ機構により膝ボトム３ｃと足ボトム３ｄとを起こすことで、利用者Ｐの膝部がマットレス１００とともに起こされる。これにより、膝ボトム３ｃが利用者Ｐの太股側を受ける状態となるため、身体がフット側にずれることなく容易に背上げ動作を行なうことができる。
【００５５】
また、マットレス１００の下面側においては、内カバー１１０の下側の表面１１０Ｂのマットレス１００の長手方向では、背ボトム３ａ、膝ボトム３ｃ、足ボトム３ｄに対向する部分には低摩擦機能を有し、腰ボトム３ｂに対向する部分には高摩擦機能を有する第３の摩擦領域１１３が形成されているので、背ボトム３ａ、膝ボトム３ｃ、足ボトム３ｄが動作した場合には、側地１２０を介して内カバー１１０の下側の表面１１０Ｂは、背ボトム３ａ、膝ボトム３ｃ、足ボトム３ｄにおいては容易に移動することができ、腰ボトム３ｂにおいてはマットレス１００が容易にずれることなく、背上げ動作を行なうことができる。
【００５６】
また、内カバー１１０の下側の表面１１０Ｂのマットレス短手方向に高摩擦機能を有しているので、側地１２０と内カバー１１０とのずれを抑制できるので、マットレス１００のずれを抑制して、マットレス１００が短手方向でベッドからはみ出さないようにしている。これにより、マットレス１００の位置を整える労力を低減することができる。
【００５７】
以上のように構成したので、第１実施形態によれば、芯材１５０を内カバー１１０と側地１２０とで覆ったマットレス１００のマットレスカバー構造において、内カバー１１０の表面に摩擦機能を備える摩擦領域を設け、側地１２０の内側面には内カバー１１０の摩擦領域と接触することで特定の摩擦機能を生じさせる摩擦領域を設けたことで、マットレス１００を使用する際に、側地１２０と内カバー１１０との間に生じる摩擦作用を低減して、利用者が動いても側地１２０と内カバー１１０が逆らわずに利用者の動きに追従し易くなるため、側地１２０に生じるシワを低減することができる。
【００５８】
また、第１実施形態では、内カバー１１０の芯材１５０の上面側の表面１１０Ａには、利用者Ｐに対応して第１の摩擦領域１１１を設けたことで、側地１２０が内カバー１１０に逆らわず利用者の動きに追従し易くなるため、利用者Ｐに負担をかけることなく背上げ動作を行うことができる。
【００５９】
さらに、変形例１として、図４に示すように、内カバー１１０の第１の摩擦領域１１１に加えて、第２の摩擦領域１１２を設けることで、図１０，図１１に示すように、第２の摩擦領域１１２の低摩擦機能により、膝上げ時に側地１２０が内カバー１１０に逆らわずに膝上げ動作に追従することで大腿部が圧迫されることがないため、さらに利用者Ｐに負担をかけることなく膝上げ動作を行うことができる。
【００６０】
また、第１実施形態では、内カバー１１０のマットレス１００の下面側の表面１１０Ｂの全域に、ボトム３に接する側地１２０の内側面に対応して第３の摩擦領域１１３を設けたことで、側地１２０内において内カバー１１０の位置ずれを低減できるので、背上げ動作によるマットレス１００の位置ずれを低減できる。
【００６１】
（第２実施形態）
次に、第２実施形態について図面を参照して説明する。
図１２は第２実施形態に係るマットレスカバー構造を採用したマットレスを使用したベッド装置の起伏機構を動作させた状態を示す説明図である。
なお、第２実施形態に係るマットレスカバー構造を採用したマットレス及びベッド装置において、第１実施形態に係るマットレスカバー構造を採用したマットレス及びベッド装置と同様な構成については同じ符号を付することで説明を省略する。
【００６２】
第２実施形態は、図１２に示すように、特徴的なマットレスカバー構造を採用したマットレス２００を、起伏機構として背上げ機構を備えるベッド装置２０１Ａに採用したことを特徴とするものである。
【００６３】
第２実施形態に係るベッド装置２０１Ａは、図１２に示すように、マットレス２００が載置される２分割されたボトム（床部）２０３と、その分割されたボトム２０３の一部を起伏させる起伏機構（図示省略）と、起伏機構を備える上部フレーム２と、上部フレーム２を昇降させる昇降機構１とを備えて構成されている。
【００６４】
ベッド装置２０１Ａは、上部フレーム２のヘッド側およびフット側の下部にそれぞれ昇降機構１Ｈ，１Ｆを配置して、上部フレーム２を昇降するように構成されている。
【００６５】
ボトム３は、背ボトム（背部）２０３ａと足ボトム２０３ｄに分割されて構成されている。そして、その分割されたボトム２０３の上にマットレス２００が配置される。
【００６６】
上部フレーム２には、利用者Ｐの上体（背中）を起伏するための起伏機構として、いわゆる背上げ機構（図示省略）が構成されている。
【００６７】
第２実施形態に係るマットレス２００は、第１実施形態のマットレス１００と同様に芯材１５０を側地２２０で覆った矩形状のマットレスであって、マットレスカバー構造として特徴的な内カバー２１０と側地２２０とを用いて構成されている。
【００６８】
マットレス２００の内カバー２１０には、図１２に示すように、芯材１５０の上面側の表面２１０Ａに、仰臥位姿勢の利用者Ｐの上半身に対向する付近には第１の摩擦領域２１１が設けられ、利用者Ｐの大腿部に対応する部分には第２の摩擦領域２１２が設けられている。
【００６９】
第１の摩擦領域２１１において、上半身に対応する領域では、周辺の生地と比較してマットレス短手方向（マットレス幅方向）に沿った方向に低摩擦機能を有している。
また、頭部から臀部に亘る領域では、マットレス長手方向に低摩擦機能を有している。
【００７０】
第２の摩擦領域２１２は、周辺の生地と比較してマットレス長手方向に高摩擦機能を有している。
【００７１】
また、マットレス２００の内カバー２１０は、マットレス２００の下面側に位置する表面２１０Ｂの全域に亘り、第３の摩擦領域２１３が形成されている。第３の摩擦領域２１３は、マットレス短手方向に高摩擦機能を有している。また、マットレス長手方向では、背ボトム２０３ａに対向する部分には低摩擦機能を有し、足ボトム２０３ｄに対向する部分には高摩擦機能を有している。
【００７２】
側地２２０は、その内側面に、内カバー２１０の摩擦領域と接触することで特定の摩擦機能を生じさせる摩擦領域が設けられている。
具体的には、側地２２０の内側面は、内カバー２１０の第１の摩擦領域２１１に対向する部分がマットレス短手方向（図中でＹ矢印方向）に沿った方向に低摩擦機能を有し、第２の摩擦領域２１２に対向する部分がマットレス長手方向に高摩擦機能を有するように構成されている。
【００７３】
次に、ベッド装置２０１Ａにおいて、マットレス２００上の利用者Ｐの背上げ動作により姿勢を変化させた場合について説明する。
【００７４】
ベッド装置２０１Ａにおいて、利用者Ｐの背上げ動作を行なう場合は、図１２に示すように、図示しない背上げ機構により背ボトム２０３ａを起こすことで、利用者Ｐの上半身がマットレス２００とともに起こされる。
【００７５】
このとき、マットレス２００の内カバー２１０の第１の摩擦領域２１１と側地２２０の内側面とが接触状態においてマットレス長手方向に低摩擦機能を有するように構成されているので、利用者Ｐの背中が側地２２０を介して内カバー２１０に対して容易に摺動することができる。これにより、利用者が動いても側地２２０が内カバー１１０に逆らわずに利用者の動きに追従し易くなるため、利用者Ｐは無理なく背上げ動作を行うことができる。
【００７６】
そして、マットレス２００の内カバー２１０には、側地２２０の内側面に接触することで、マットレス長手方向に高摩擦機能を有する第２の摩擦領域２１２が設けられているので、利用者Ｐの太腿側がマットレス長手方向にずれにくい状態となっているため、身体がフット側にずれることなく容易に背上げ動作を行なうことができる。
【００７７】
以上のように構成したので、第２実施形態によれば、特徴的なマットレスカバー構造を採用したマットレス２００を、起伏機構として背上げ機構のみを備えるベッド装置２０１Ａに採用する場合に、マットレス２００の構成として、内カバー２１０の表面に第１の摩擦領域２１１と第２の摩擦領域２１２とを設け、側地２２０の内側面に、内カバー２１０の第１の摩擦領域２１１に対向する部分が低摩擦機能を有し、第２の摩擦領域２１２に対向する部分が高摩擦機能を有するように構成することで、利用者Ｐに負担をかけることなく背上げ動作を行うことができる。
【００７８】
（第３実施形態）
次に、第３実施形態について図面を参照して説明する。
図１３は第３実施形態に係るマットレスカバー構造を採用したマットレスを起伏機構を有しないベッド装置に使用した状態を示す説明図である。
なお、第３実施形態に係るマットレスカバー構造を採用したマットレス及びベッド装置において、第１実施形態に係るマットレスカバー構造を採用したマットレス及びベッド装置と同様な構成については同じ符号を付することで説明を省略する。
【００７９】
第３実施形態は、図１３に示すように、第１実施形態と同様の構成を有する特徴的なマットレスカバー構造を採用したマットレス３００を、起伏機構を有しないベッド装置３０１Ａに採用したことを特徴とするものである。
【００８０】
第３実施形態に係るベッド装置３０１Ａは、図１３に示すように、マットレス３００が載置されるボトム（床部）３０３と、ボトム３０３が配置される上部フレーム２と、上部フレーム２を昇降させる昇降機構１とを備えて構成されている。
【００８１】
ベッド装置３０１Ａは、上部フレーム２のヘッド側およびフット側の下部にそれぞれ昇降機構１Ｈ，１Ｆを配置して、上部フレーム２を昇降するように構成されている。
【００８２】
第３実施形態に係るマットレス３００は、第１実施形態と同様に芯材１５０を特徴的な内カバー３１０と側地３２０とで覆ったマットレスカバー構造を採用したマットレスである。
【００８３】
内カバー３１０を構成する生地は、部分的に低摩擦機能を有する素材が使用されている。
【００８４】
内カバー３１０は、芯材１５０の上面側に位置する表面３１０Ａにおいて、周辺の生地と比較してマットレス長手方向に低摩擦機能を有する第１の摩擦領域３１１が設けられている。
【００８５】
内カバー３１０の芯材１５０の下面側の表面３１０Ｂには、第３の摩擦領域３１３が設けられている。第３の摩擦領域３１３は、マットレス短手方向に高摩擦機能を有している。
【００８６】
側地３２０は、その内側面に、内カバー３１０の摩擦領域と接触することで特定の摩擦機能を生じさせる摩擦領域が設けられている。
具体的には、側地３２０の内側面は、内カバー３１０の第１の摩擦領域３１１に対向する部分がマットレス長手方向（図中でＸ矢印方向）に沿った方向に低摩擦機能を有し、第３の摩擦領域３１３に対向する部分がマットレス長手方向に高摩擦機能を有するように構成されている。
【００８７】
以上のように構成したので、第３実施形態によれば、特徴的なマットレスカバー構造を採用したマットレス３００を、起伏機構を有しないベッド装置３０１Ａに採用する場合に、マットレス３００の構成として、内カバー３１０の表面３１０Ａに第１の摩擦領域３１１を設け、側地３２０の内側面に、内カバー３１０の第１の摩擦領域３１１に対向する部分が低摩擦機能を有するように構成することで、利用者Ｐに負担をかけることなく、利用者Ｐの体位変換や寝返りを容易に行うことができる。
【００８８】
また、第３実施形態によれば、内カバー３１０の下側の表面３１０Ｂの全域に高摩擦機能を有する第３の摩擦領域３１３を設け、側地３２０の内側面に、内カバー３１０の第３の摩擦領域３１３に対向する部分が高摩擦機能を有するように構成することで、マットレス３００の位置ずれを低減できる。
【００８９】
なお、本発明は、上述した実施形態や変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【００９０】
本発明の側地およびマットレスは、医療用、介護用、家庭用のベッド等に用いるマットレスに利用することができる。
【符号の説明】
【００９１】
１Ａ，２０１Ａ，３０１Ａ  ベッド装置
３，２０３，３０３  ボトム
３ａ，２０３ａ  背ボトム
３ｂ  腰ボトム
３ｃ  膝ボトム
３ｄ，２０３ｄ  足ボトム
１００，２００，３００  マットレス
１１０，２１０，３１０  内カバー
１１０Ａ，２１０Ａ，３１０Ａ  表面（上面側）
１１０Ｂ，２１０Ｂ，３１０Ｂ  表面（下面側）
１１１，１１１ａ，２１１，３１１  第１の摩擦領域
１１２，１１２ａ，２１２  第２の摩擦領域
１１３，２１３，３１３  第３の摩擦領域
１１４  第４の摩擦領域
１２０，２２０  ，３２０  側地
１５０  芯材
【図１】
2019050932.tif 000003
【図２】
2019050932.tif 000004
【図３】
2019050932.tif 000005
【図４】
2019050932.tif 000006
【図５】
2019050932.tif 000007
【図６】
2019050932.tif 000008
【図７】
2019050932.tif 000009
【図８】
2019050932.tif 000010
【図９】
2019050932.tif 000011
【図１０】
2019050932.tif 000012
【図１１】
2019050932.tif 000013
【図１２】
2019050932.tif 000014
【図１３】
2019050932.tif 000015
【図１４】
2019050932.tif 000016